(57)【特許請求の範囲】
【請求項１】
靴磨きまたは処理用の艶出し製品であって、２０℃における蒸気圧が１ｔｏｒｒ（０．１３ｋＰａ）より高い有機揮発性物質の含有量が２％未満であり、含水量が２％未満であり、かつ艶出し成分として、ワックスを２０〜６０％の範囲の含有量で、１ｔｏｒｒ（０．１３ｋＰａ）以下の蒸気圧を有するシリコーン油を２０〜６０％の範囲の含有量で、かつ脂肪酸を１〜４０重量％の範囲の含有量でそれぞれ含み、ここに、すべてのパーセント（％）は前記艶出し成分の全重量に基づく重量パーセント（％）である艶出し製品。
【請求項２】
前記ワックスは、３０〜４５重量％の範囲の含有量で存在する請求項１に記載の艶出し製品。
【請求項３】
前記シリコーン油は、４０〜５５重量％の範囲の含有量で存在する請求項１または２に項記載の艶出し製品。
【請求項４】
前記脂肪酸は、５〜１５重量％の範囲の含有量で存在する請求項１〜３のいずれか一項に記載の艶出し製品。
【請求項５】
前記ワックスは、ミネラルワックス（鉱ろう）、パラフィン、微結晶ワックス、植物由来ワックス、動物ワックス、フィッシャー・トロプシュワックス、ポリオレフィンワックス、合成ワックス、シリコーンワックス、およびこれらの組み合わせから選ばれる請求項１〜４のいずれか一項に記載の艶出し製品。
【請求項６】
前記ワックスは、３０℃と１００℃との間の凝固点を持つ請求項５に記載の艶出し製品。
【請求項７】
前記シリコーン油は、ポリジメチルシロキサン、アルキルポリメチルシロキサン、および例えば４級結合を含む置換ポリジメチルシロキサンからなる群より選ばれる請求項６に記載の艶出し製品。
【請求項８】
前記シリコーン油は、粘度が１，０００ｍＰａ．ｓ．より高いポリジメチルシリコーンである請求項７に記載の艶出し製品。
【請求項９】
前記脂肪酸は、それぞれ炭素数が１６以下の脂肪酸を１種以上含む請求項１〜８のいずれか一項に記載の艶出し製品。
【請求項１０】
前記１種以上の脂肪酸は、主としてＣ１２、Ｃ１４、および／またはＣ１６からなるアルキル基を持つものから選ばれる請求項９に記載の艶出し製品。
【請求項１１】
前記脂肪酸は、ドデカン酸である請求項１０に記載の艶出し製品。
【請求項１２】
１種類の脂肪酸が使用される請求項９〜１１のいずれか一項に記載の艶出し製品。
【請求項１３】
前記含水量が製品全体に基づいて、１重量％未満である請求項１〜１２のいずれか一項に記載の艶出し製品。
【請求項１４】
前記含水量が製品全体に基づいて、０．５重量％未満である請求項１〜１２のいずれか一項に記載の艶出し製品。
【請求項１５】
錠剤の形のペーストである請求項１〜１４のいずれか一項に記載の艶出し製品。
【請求項１６】
前記靴磨きまたは処理は機械装置により行われる請求項１５に記載の艶出し製品。
【発明の詳細な説明】
【技術分野】
【０００１】
本発明は、艶出し製品に関し、特に、ペースト状の、靴および革用ケア製品に関する。そのような製品は通常ペースト状またはクリーム状であり、艶出しすべき表面に適用されたときに製品の「塗布性／潤滑性」を向上する揮発性成分を含む。これらの揮発性成分は蒸発するのが非常に早く、表面が乾燥した後、残存する化学物質（ワックス、油脂等）を磨いて光沢（ｓｈｉｎｅ）を出すことができる。そのような製品については、次に使用するまで包装を開けたままにしておくとより揮発性の高い成分が蒸発して製品の硬化および／または縮れ（ｃｒｉｍｐｉｎｇ）が起きてしまう。
【背景技術】
【０００２】
米国特許第４，８０４，４１３号公報（特許文献１）には、固化せず、乾燥にも耐性のある靴艶出し用組成物が記載されている。その目的のために、ワセリンとシリコーン油が添加されている。記載された製品は従来の靴艶出し用混合物よりも粘度が低く、そのため本発明によるペーストに用いるには適していない。本発明は、ペーストであって、錠剤として使用することができ、好ましくは十分なコンシステンシーを持たせて別個のものとして靴艶出し装置に装荷して、そのような装置に容易に補給することができるペーストを対象としている。
【０００３】
上述の揮発性成分、すなわち２０℃における蒸気圧が１ｔｏｒｒ（０．１３ｋＰａ）より高く、通常粘度および表面張力が低い有機物質を配合することが望まれている。この要望は現在の環境および健康への関心に基づいており、法律制定による後押しが強化されつつある。また、艶出し製品、好ましくは再使用可能なペースト錠剤の形の靴用ケア製品であって、反復使用の間に組成物が空気に露出される機械的適用システムにおいて使用可能であるものを提供することが望まれている。従来の揮発物質を主体とした組成物の場合は、製品の乾燥および硬化が速すぎたり、および／または縮れを招いたりすることになる。
【０００４】
揮発性溶剤は不揮発性溶剤によってそのまま置き換えることができない。不揮発性溶剤、すなわち２０℃における蒸気圧が１ｔｏｒｒ（０．１３ｋＰａ）未満の液体はクリープを生じやすい。これは、特に艶出し組成物中の活性成分（例えばワックス）が液体中に溶解しているのではなく、分散している状況において問題となり得る。それは、クリープ性があると液体の抜け（ｒｅｍｏｖａｌ）を引き起こし、そのため活性成分が不所望に硬い状態になってしまうからである。この問題は、ポリシロキサンが不揮発性液体として用いられるときに顕著に現れる。それは、ポリシロキサンはワックス成分との相溶性が低い傾向があるためである。
【０００５】
光沢に対してより良い効果が得られることを考慮して例えば鉱油よりもポリシロキサンを使用することが望まれている。
【０００６】
揮発性有機成分の存在を排除する取り組みが欧州特許第１４６９０５１号公報明細書（特許文献２）に開示されている。ここには、水系の靴および革ケア製品が記載されている。
【先行技術文献】
【特許文献】
【０００７】
【特許文献１】米国特許第４，８０４，４１３号明細書
【特許文献２】欧州特許第１４６９０５１号明細書
【発明の概要】
【発明が解決しようとする課題】
【０００８】
水は上述の定義による揮発性有機成分ではないものの、製品から蒸発しやすいため、包装されていないときの製品の効果および／または縮れに関する上述の問題を解決するには不適当である。また、水系システムには水系成分と他の成分との間の相分離の危険があり、そのため製品が不適当になるか、または少なくとも魅力に欠けるものとなってしまう。単一相の製品を提供することが望まれている。
【課題を解決するための手段】
【０００９】
上述の要望の一つ以上に対応するために、本発明は艶出し製品、好ましくは靴または革ケア製品を提供する。この製品は、揮発性成分（上述の定義による有機揮発物質並びに水）を本質的に含まず、かつワックス成分を２０〜６０％、好ましくは３０〜４５％の範囲の含有量で、非水系の不揮発性液体成分であって、不揮発性は１ｔｏｒｒ（０．１３ｋＰａ）よりも高い蒸気圧を有する有機揮発性物質ではないと定義されているものを２０〜６０％、好ましくは４０〜５５％の範囲の含有量で、かつ脂肪族成分、好ましくは脂肪酸を１〜４０重量％、好ましくは５〜１５％の範囲の含有量でそれぞれ含み、ここに、すべてのパーセント（％）は靴または革ケア用製品の全重量に基づく重量パーセント（％）である。
【００１０】
別の態様では、本発明は、靴または革用ケア製品としての組成物の使用にあり、この組成物は揮発性成分（上述の定義による有機揮発物質並びに水）を本質的に含まず、かつワックス成分を２０〜６０％、好ましくは３０〜４５％の範囲の含有量で、非水系の不揮発性液体成分であって、不揮発性は１ｔｏｒｒ（０．１３ｋＰａ）よりも高い蒸気圧を有する有機揮発性物質ではないと定義されているものを２０〜６０％、好ましくは４０〜５５％の範囲の含有量で、かつ脂肪族成分、好ましくは脂肪酸を１〜４０重量％、好ましくは５〜１５％の範囲の含有量でそれぞれ含み、ここに、すべてのパーセント（％）は靴または革ケア製品の全重量に基づく重量パーセント（％）である。
【００１１】
さらに別の態様では、本発明は上述の定義による組成物の靴または革用ケア製品の製造のための使用にある。
【発明を実施するための形態】
【００１２】
脂肪族成分、特に脂肪酸を存在させることは、ワックス成分と不揮発性液体成分の所望の相溶性を得るのに役立つので、有利である。脂肪族成分はグリセリド、エステルまたはアルコールでもよいが、脂肪酸が好ましい。さらに好ましくは、脂肪族成分はそれぞれ炭素数が１６未満の脂肪酸を１種以上含む。さらに好ましくは、上述の１種以上の脂肪酸は主としてＣ１２、Ｃ１４、Ｃ１６および／またはＣ１８からなるアルキル基を持つものから選ばれ、ドデカン酸がもっとも好ましい。脂肪酸の混合物を使用することができるが、１種類の脂肪酸を使用するのが好ましい。
【００１３】
脂肪族成分が存在しない場合、または脂肪族成分に追加して、ワックスと不揮発性液体との相溶性を高めるのに役立つ他の成分が存在していてもよい。例えばワセリン（ｐｅｔｒｏｌｌｅｕｍ  ｊｅｌｌｙ）を、好ましくは少量（２〜２０重量％）用いてもよい。
【００１４】
ワックス成分は活性艶出し成分として用いるのに適した任意のワックス成分を用いることができる。この成分は、好ましくは、ワックスであり、ミネラルワックス（鉱ろう）、パラフィン、微結晶ワックス、植物由来ワックス、動物ワックス、フィッシャー・トロプシュワックス、ポリオレフィンワックス、合成ワックス、シリコーンワックス、およびこれらの組み合わせから選ばれる。もっとも好ましくは、３０℃と１００℃との間の凝固点を持つワックスが選ばれる。例えば、トータル・ソルベンツ（Ｔｏｔａｌ  Ｓｏｌｖｅｎｔｓ）社により供給されるパラフィンワックス６０／６２がある。
【００１５】
この組成物は本質的に水を含まない。このことは、２重量％未満、好ましくは１重量％未満、さらに好ましくは０．５％重量％未満という少量の水の存在を排除しない。もっとも好ましいのは、組成物には本質的に水が存在しないことである。
【００１６】
不揮発性液体はシリコーン油を包含するのが好ましい。さらに好ましくは、ポリジメチルシロキサン、アルキルポリメチルシロキサンおよび例えば４級結合を含む置換ポリジメチルシロキサンからなる群より選ばれるポリシロキサンである。もっとも好ましくは、シリコーン油は粘度が１，０００ｍＰａ．ｓ．より高いポリジメチルシリコーンである。
【００１７】
本発明の艶出し製品は特に靴その他の革の表面を艶出しするために使用することができる。さらに好ましくは、靴または革を艶出しするための機械装置に使用することもできる。しかしながら、上述の組成物は、他の基体、革だけでなく金属、木材、あるいは一般の家庭用品の表面、を艶出しするのに役立つ。
【００１８】
艶出し製品のさらなる成分は、通常、処理される基体の需要に適合させることができる。例えば、靴では、艶出しは光沢のある色合い（中性の変種を除く）、そして好ましくはいくらかの保護（防水性）をもたらさなければならない。通常の保護用添加物としては、ワックス、シリコーン、およびフッ素化ポリマーが挙げられる。ペーストは望ましくは力を受けたときに本体がその場に留まるように十分に硬いことが望ましい（特に回転ブラシにより衝撃を及ぼされたときに、回転ブラシは同時にペーストのいくらかをその毛に着けて除去し、次いでこれをブラシから靴に移す）。それにもかかわらず、ペーストはそのような回転ブラシに許容し得る時間内に使用者からの適度な加圧で制御された放出が可能となるように十分に柔らかく、あるいは塗布可能であるのが望ましい。
【００１９】
下記の非限定的な実施例を参照して本発明をさらに説明する。
【実施例】
【００２０】
艶出し製品を表１に概略を示した組成物を用いて調製する。
【００２１】
【表１】
0005639888.tif 000002
【００２２】
混合方法
工程１：液相：ミキサーに４種の成分、シリコーン５，０００ｃｓｔ、シリコーン１００，０００ｃｓｔ、テゴプレン（Ｔｅｇｏｐｒｅｎ）およびジェムスパース（Ｇｅｍｓｐｅｒｓｅ）を添加し、穏やかに攪拌し、９０℃にする。
工程２：ワックス相：ミキサーにシリコーンワックスＷ２３およびＤＣ２５０８８の両方、マイクロフレックスワックス（Ｍｉｃｒｏｆｌｅｘ  Ｗａｘ、ロロール（Ｌｏｒｏｌ）、およびワセリンを添加する。加温し、ワセリンが融解した後、攪拌して混合する。温度を９０℃にする。
工程３：ゆっくりとよく攪拌し、工程１からの液相をワックス相に添加する。温度を９０℃に保つ。
工程４：９０℃で型に注入する（型はペースト・ホルダー・チップの中央部に矩形フレームを置くことにより形成する）。
工程５：少なくとも５分間放冷した後に矩形フレームを取り外す。